(57)【要約】プラズマディスプレイパネルの駆動方法であって、複数のサブフィールドのうちの少なくとも１つのサブフィールドの初期化期間において、直前の書込み期間で書込み放電を発生した放電セルのみで選択的に初期化放電を発生させる選択初期化動作を行い、選択初期化動作は、維持電極に第１の電圧を印加するとともに走査電極に上り傾斜波形電圧を印加するステップと、走査電極に下り傾斜波形電圧を印加した後に正の矩形状電圧を印加するステップと、維持電極に第１の電圧よりも高い第２の電圧を印加するとともに走査電極に下り傾斜波形電圧を印加するステップとを行う。
2010143404.tif 000002
【特許請求の範囲】
【請求項１】
初期化期間と書込み期間と維持期間とを有するサブフィールドを複数用いて１つのフィールドを構成し、走査電極と維持電極とデータ電極とを有する放電セルを複数備えたプラズマディスプレイパネルを駆動するプラズマディスプレイパネルの駆動方法であって、
前記複数のサブフィールドのうちの少なくとも１つのサブフィールドの初期化期間において、直前の書込み期間で書込み放電を発生した放電セルのみで選択的に初期化放電を発生させる選択初期化動作を行い、
前記選択初期化動作は、前記維持電極に第１の電圧を印加するとともに前記走査電極に上り傾斜波形電圧を印加するステップと、前記走査電極に下り傾斜波形電圧を印加した後に正の矩形状電圧を印加するステップと、前記維持電極に前記第１の電圧よりも高い第２の電圧を印加するとともに前記走査電極に下り傾斜波形電圧を印加するステップとを行うことを特徴とするプラズマディスプレイパネルの駆動方法。
【請求項２】
走査電極と維持電極とデータ電極とを有する放電セルを複数備えたプラズマディスプレイパネルと、初期化期間と書込み期間と維持期間とを有するサブフィールドを複数用いて１つのフィールドを構成するとともに駆動電圧を発生して前記プラズマディスプレイパネルの各電極に印加する駆動回路とを備えたプラズマディスプレイ装置であって、
前記駆動回路は、
前記複数のサブフィールドのうちの少なくとも１つのサブフィールドの初期化期間において、前記維持電極に第１の電圧を印加するとともに前記走査電極に上り傾斜波形電圧を印加し、その後、前記走査電極に下り傾斜波形電圧を印加し、その後、前記走査電極に正の矩形状電圧を印加し、その後、前記維持電極に前記第１の電圧よりも高い第２の電圧を印加するとともに前記走査電極に下り傾斜波形電圧を印加して前記プラズマディスプレイパネルを駆動することを特徴とするプラズマディスプレイ装置。
【請求項３】
書込み期間と維持期間と消去期間とを有するサブフィールドを複数用いて１つのフィールドを構成し、走査電極と維持電極とデータ電極とを有する放電セルを複数備えたプラズマディスプレイパネルを駆動するプラズマディスプレイパネルの駆動方法であって、
前記維持期間において前記走査電極に印加する維持パルスの低圧側電圧から前記データ電極に印加する電圧を減じた電圧を第１の電圧とし、前記維持期間において前記走査電極に印加する前記維持パルスの高圧側電圧から前記データ電極に印加する電圧を減じた電圧を第２の電圧とし、前記書込み期間において前記走査電極に印加する走査パルスの低圧側電圧から前記データ電極に印加するデータパルスの低圧側電圧を減じた電圧を第３の電圧とするとき、
前記第１の電圧から前記第３の電圧を減じた電圧が、前記データ電極を陽極とし前記走査電極を陰極とする放電開始電圧以上であり、
前記第２の電圧から前記第３の電圧を減じた電圧が、前記データ電極を陽極とし前記走査電極を陰極とする放電開始電圧と前記データ電極を陰極とし前記走査電極を陽極とする放電開始電圧との和未満であり、
かつ、前記消去期間は、直前の書込み期間で書込み放電を発生した放電セルのみで選択的に消去放電を発生し、
前記消去放電は、前記維持電極を陰極とし前記走査電極を陽極とする１回目の放電を発生するステップと、前記走査電極を陰極とし前記データ電極を陽極とする１回目の放電を発生するステップと、前記維持電極を陰極とし前記走査電極を陽極とする２回目の放電を発生するステップと、前記走査電極を陰極とし前記データ電極を陽極とする２回目の放電を発生するステップとを行うことを特徴とするプラズマディスプレイパネルの駆動方法。
【請求項４】
前記消去放電は、前記維持電極に第４の電圧を印加するとともに、前記走査電極に上り傾斜波形電圧を印加して前記維持電極を陰極とし前記走査電極を陽極とする１回目の放電を発生し、前記維持電極に第４の電圧よりも高い第５の電圧を印加するとともに前記走査電極に下り傾斜波形電圧を印加して前記維持電極を陰極とし前記走査電極を陽極とする２回目の放電を発生することを特徴とする請求項３に記載のプラズマディスプレイパネルの駆動方法。
【請求項５】
走査電極と維持電極とデータ電極とを有する放電セルを複数備えたプラズマディスプレイパネルと、書込み期間と維持期間と消去期間とを有するサブフィールドを複数用いて１つのフィールドを構成するとともに駆動電圧波形を発生して前記プラズマディスプレイパネルの各電極に印加する駆動回路とを備えたプラズマディスプレイ装置であって、
前記駆動回路は、
前記維持期間において前記走査電極に印加する維持パルスの低圧側電圧から前記データ電極に印加する電圧を減じた電圧を第１の電圧とし、前記維持期間において前記走査電極に印加する前記維持パルスの高圧側電圧から前記データ電極に印加する電圧を減じた電圧を第２の電圧とし、前記書込み期間において前記走査電極に印加する走査パルスの低圧側電圧から前記データ電極に印加するデータパルスの低圧側電圧を減じた電圧を第３の電圧とするとき、
前記第１の電圧から前記第３の電圧を減じた電圧が、前記データ電極を陽極とし前記走査電極を陰極とする放電開始電圧以上であり、
前記第２の電圧から前記第３の電圧を減じた電圧が、前記データ電極を陽極とし前記走査電極を陰極とする放電開始電圧と前記データ電極を陰極とし前記走査電極を陽極とする放電開始電圧との和を超えない電圧に設定するとともに、
前記消去期間において、前記維持電極を陰極とし前記走査電極を陽極とする１回目の放電を発生させ、その後、前記走査電極を陰極とし前記データ電極を陽極とする１回目の放電を発生させ、その後、前記維持電極を陰極とし前記走査電極を陽極とする２回目の放電を発生させ、その後、前記走査電極を陰極とし前記データ電極を陽極とする２回目の放電を発生させて、直前の書込み期間で書込み放電を発生した放電セルのみで選択的に消去放電を発生させて前記プラズマディスプレイパネルを駆動することを特徴とするプラズマディスプレイ装置。
【発明の詳細な説明】
【技術分野】
【０００１】
本発明は、交流面放電型のプラズマディスプレイパネルの駆動方法およびプラズマディスプレイ装置に関する。
【背景技術】
【０００２】
プラズマディスプレイパネル（以下、「パネル」と略記する）は、走査電極と維持電極とデータ電極とを有する放電セルを複数備え、放電セル内でガス放電により発生させた紫外線で赤色、緑色および青色の各色の蛍光体を励起発光させてカラー表示を行っている。【０００３】
パネルを駆動する方法としてはサブフィールド法、すなわち初期化期間と書込み期間と維持期間とを有するサブフィールドを複数用いて１つのフィールドを構成し、発光させるサブフィールドの組み合わせによって階調表示を行う方法が一般的である。各サブフィールドの初期化期間には初期化動作、書込み期間には書込み動作、維持期間には維持動作を行う。初期化動作は初期化放電を発生し、続く書込み動作に必要な壁電荷を形成する動作である。初期化動作には、直前のサブフィールドの動作にかかわらず初期化放電を発生させる強制初期化動作と、直前のサブフィールドで書込み放電を行った放電セルのみで初期化放電を発生させる選択初期化動作とがある。書込み動作は表示する画像に応じて放電セルで選択的に書込み放電を発生し壁電荷を形成する動作であり、維持動作は表示電極対に交互に維持パルスを印加して維持放電を発生させ、対応する放電セルの蛍光体層を発光させる動作である。この維持放電による蛍光体層の発光は階調表示に関係する発光であり、その他の発光は階調表示に関係しない発光である。【０００４】
サブフィールド法の中でも最も低い階調である黒を表示する際の輝度を下げ、階調表示に関係しない発光を極力減らしてコントラストを向上させる駆動方法が検討されている。例えば特許文献１には、強制初期化動作を行うサブフィールドを１フィールドに１つとし、他のサブフィールドでは選択初期化動作を行うサブフィールドで構成する駆動方法が開示されている。【０００５】
また特許文献２には、維持期間の最後において走査電極に上り傾斜波形電圧を印加し、その次の初期化期間において走査電極に下り傾斜波形電圧を印加して選択初期化動作を行う駆動方法が開示されている。【０００６】
また特許文献３には、強制初期化動作を行うサブフィールドの初期化期間の後に走査電極に矩形波形電圧を印加する異常電荷消去期間が設けられた駆動方法が開示されている。【０００７】
特許文献２に記載されているように、駆動電圧に傾斜波形電圧を用いるとリンギング等の波形ひずみが抑えられるので、各放電セルの各電極に駆動電圧を精度よく印加することができる。このため、初期化期間の駆動電圧に傾斜波形電圧を用いると、次の書込み期間では安定した書込み放電を発生させることができる。しかしながら、傾斜波形電圧を用いた放電は微弱な放電であり、また選択初期化を行うために各電極に印加できる電圧範囲は限られるので、それ以前の放電セルの壁電荷の履歴を完全に消去するだけの放電を発生させることが難しいという課題があった。そのために直前のサブフィールドで書込み放電を行った放電セルと書込み放電を行わなかった放電セルとの駆動条件が異なり、その結果、駆動電圧の電圧設定マージンが狭くなるという課題があった。
【先行技術文献】
【特許文献】
【０００８】
【特許文献１】特開２０００−２４２２２４号公報
【特許文献２】特開２００８−２５６７７４号公報
【特許文献３】特公ＷＯ２００８／０５９７４５号公報
【発明の概要】
【０００９】
本発明は、十分な電圧設定マージンを確保しつつ安定した書込み放電を発生させて、表示品質の高い画像を表示することが可能なパネルの駆動方法およびプラズマディスプレイ装置を提供する。
【００１０】
本発明のパネルの駆動方法は、初期化期間と書込み期間と維持期間とを有するサブフィールドを複数用いて１つのフィールドを構成し、走査電極と維持電極とデータ電極とを有する放電セルを複数備えたパネルを駆動するパネルの駆動方法であって、複数のサブフィールドのうちの少なくとも１つのサブフィールドの初期化期間において、直前の書込み期間で書込み放電を発生した放電セルのみで選択的に初期化放電を発生させる選択初期化動作を行い、選択初期化動作は、維持電極に第１の電圧を印加するとともに走査電極に上り傾斜波形電圧を印加するステップと、走査電極に下り傾斜波形電圧を印加した後に正の矩形状電圧を印加するステップと、維持電極に第１の電圧よりも高い第２の電圧を印加するとともに走査電極に下り傾斜波形電圧を印加するステップとを行うことを特徴とする。この方法により、十分な電圧設定マージンを確保しつつ安定した書込み放電を発生させて、表示品質の高い画像を表示することが可能なパネルの駆動方法を提供することができる。
【００１１】
また本発明のプラズマディスプレイ装置は、走査電極と維持電極とデータ電極とを有する放電セルを複数備えたパネルと、初期化期間と書込み期間と維持期間とを有するサブフィールドを複数用いて１つのフィールドを構成するとともに駆動電圧を発生してパネルの各電極に印加する駆動回路とを備えたプラズマディスプレイ装置であって、駆動回路は、複数のサブフィールドのうちの少なくとも１つのサブフィールドの初期化期間において、維持電極に第１の電圧を印加するとともに走査電極に上り傾斜波形電圧を印加し、その後、走査電極に下り傾斜波形電圧を印加し、その後、走査電極に正の矩形状電圧を印加し、その後、維持電極に第１の電圧よりも高い第２の電圧を印加するとともに走査電極に下り傾斜波形電圧を印加してパネルを駆動することを特徴とする。この構成により、十分な電圧設定マージンを確保しつつ安定した書込み放電を発生させて、表示品質の高い画像を表示することが可能なプラズマディスプレイ装置を提供することができる。
【００１２】
また本発明のパネルの駆動方法は、書込み期間と維持期間と消去期間とを有するサブフィールドを複数用いて１つのフィールドを構成し、走査電極と維持電極とデータ電極とを有する放電セルを複数備えたパネルを駆動するパネルの駆動方法であって、維持期間において走査電極に印加する維持パルスの低圧側電圧からデータ電極に印加する電圧を減じた電圧を第１の電圧とし、維持期間において走査電極に印加する維持パルスの高圧側電圧からデータ電極に印加する電圧を減じた電圧を第２の電圧とし、書込み期間において走査電極に印加する走査パルスの低圧側電圧からデータ電極に印加するデータパルスの低圧側電圧を減じた電圧を第３の電圧とするとき、第１の電圧から第３の電圧を減じた電圧が、データ電極を陽極とし走査電極を陰極とする放電開始電圧以上であり、第２の電圧から第３の電圧を減じた電圧が、データ電極を陽極とし走査電極を陰極とする放電開始電圧とデータ電極を陰極とし走査電極を陽極とする放電開始電圧との和未満であり、かつ、消去期間は、直前の書込み期間で書込み放電を発生した放電セルのみで選択的に消去放電を発生し、消去放電は、維持電極を陰極とし走査電極を陽極とする１回目の放電を発生するステップと、走査電極を陰極としデータ電極を陽極とする１回目の放電を発生するステップと、維持電極を陰極とし走査電極を陽極とする２回目の放電を発生するステップと、走査電極を陰極としデータ電極を陽極とする２回目の放電を発生するステップとを行うことを特徴とする。この方法により、書込み動作を安定に発生させつつ強制初期化動作を省略して、階調表示に関係しない発光をなくし、コントラストを大幅に向上したパネルの駆動方法を提供することができる。
【００１３】
また本発明のパネルの駆動方法は、消去放電は、維持電極に第４の電圧を印加するとともに、走査電極に上り傾斜波形電圧を印加して維持電極を陰極とし走査電極を陽極とする１回目の放電を発生し、維持電極に第４の電圧よりも高い第５の電圧を印加するとともに走査電極に下り傾斜波形電圧を印加して維持電極を陰極とし走査電極を陽極とする２回目の放電を発生してもよい。
【００１４】
また本発明のプラズマディスプレイ装置は、走査電極と維持電極とデータ電極とを有する放電セルを複数備えたパネルと、書込み期間と維持期間と消去期間とを有するサブフィールドを複数用いて１つのフィールドを構成するとともに駆動電圧波形を発生してパネルの各電極に印加する駆動回路とを備えたプラズマディスプレイ装置であって、駆動回路は、維持期間において走査電極に印加する維持パルスの低圧側電圧からデータ電極に印加する電圧を減じた電圧を第１の電圧とし、維持期間において走査電極に印加する維持パルスの高圧側電圧からデータ電極に印加する電圧を減じた電圧を第２の電圧とし、書込み期間において走査電極に印加する走査パルスの低圧側電圧からデータ電極に印加するデータパルスの低圧側電圧を減じた電圧を第３の電圧とするとき、第１の電圧から第３の電圧を減じた電圧が、データ電極を陽極とし走査電極を陰極とする放電開始電圧以上であり、第２の電圧から第３の電圧を減じた電圧が、データ電極を陽極とし走査電極を陰極とする放電開始電圧とデータ電極を陰極とし走査電極を陽極とする放電開始電圧との和を超えない電圧に設定するとともに、消去期間において、維持電極を陰極とし走査電極を陽極とする１回目の放電を発生させ、その後、走査電極を陰極としデータ電極を陽極とする１回目の放電を発生させ、その後、維持電極を陰極とし走査電極を陽極とする２回目の放電を発生させ、その後、走査電極を陰極としデータ電極を陽極とする２回目の放電を発生させて、直前の書込み期間で書込み放電を発生した放電セルのみで選択的に消去放電を発生させてパネルを駆動することを特徴とする。この構成により、書込み動作を安定に発生させつつ強制初期化動作を省略して、階調表示に関係しない発光をなくし、コントラストを大幅に向上したプラズマディスプレイ装置を提供することができる。
【００１５】
本発明によれば、十分な電圧設定マージンを確保しつつ安定した書込み放電を発生させて、表示品質の高い画像を表示することが可能なパネルの駆動方法およびプラズマディスプレイ装置を提供することが可能となる。
【図面の簡単な説明】
【００１６】
【図１】図１は、本発明の実施の形態１におけるプラズマディスプレイ装置に用いるパネルの分解斜視図である。
【図２】図２は、同プラズマディスプレイ装置に用いるパネルの電極配列図である。
【図３】図３は、同プラズマディスプレイ装置の各電極に印加する駆動電圧図である。
【図４Ａ】図４Ａは、維持パルスのパルス波高値である電圧の設定範囲を示す図である。
【図４Ｂ】図４Ｂは、書込みパルスのパルス波高値である電圧の設定範囲を示す図である。
【図５】図５は、本発明の実施の形態１におけるプラズマディスプレイ装置の回路ブロック図である。
【図６】図６は、同プラズマディスプレイ装置の走査電極駆動回路の回路図である。
【図７】図７は、同プラズマディスプレイ装置の維持電極駆動回路の回路図である。
【図８】図８は、本発明の実施の形態２におけるプラズマディスプレイ装置の各電極に印加する駆動電圧波形図である。
【図９】図９は、同プラズマディスプレイ装置の第１の電圧、第２の電圧、第３の電圧の定義を説明するための図である。
【図１０】図１０は、同プラズマディスプレイ装置の放電開始電圧を測定する方法の一例を示す図である。
【発明を実施するための形態】
【００１７】
以下、本発明の実施の形態におけるプラズマディスプレイ装置について、図面を用いて説明する。
【００１８】
（実施の形態１）
図１は、本発明の実施の形態１におけるプラズマディスプレイ装置に用いるパネル１０の分解斜視図である。ガラス製の前面基板２１上には、走査電極２２と維持電極２３とからなる表示電極対２４が複数形成されている。そして表示電極対２４を覆うように誘電体層２５が形成され、その誘電体層２５上に保護層２６が形成されている。保護層２６は、放電を発生しやすくするために、電子放出性能の高い材料である酸化マグネシウムを用いて形成されている。背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色、緑色および青色の各色に発光する蛍光体層３５が設けられている。
【００１９】
これら前面基板２１と背面基板３１とは、微小な放電空間を挟んで表示電極対２４とデータ電極３２とが交差するように対向配置され、その外周部をガラスフリット等の封着材によって封着されている。そして放電空間には、放電ガスとして、例えばネオンとキセノンとの混合ガスが封入されている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００２０】
なお、パネル１０の構造は上述したものに限られるわけではなく、例えばストライプ状の隔壁を備えたものであってもよい。
【００２１】
図２は、本発明の実施の形態１におけるプラズマディスプレイ装置に用いるパネル１０の電極配列図である。パネル１０には、行方向に長いｎ本の走査電極ＳＣ１〜ＳＣｎ（図１の走査電極２２）およびｎ本の維持電極ＳＵ１〜ＳＵｎ（図１の維持電極２３）が配列され、列方向に長いｍ本のデータ電極Ｄ１〜Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。
【００２２】
次に、パネル１０を駆動するための駆動電圧とその動作について説明する。プラズマディスプレイ装置は、サブフィールド法、すなわち１フィールドを複数のサブフィールドに分割し、サブフィールド毎に各放電セルの発光・非発光を制御することによって画像を表示する。
【００２３】
それぞれのサブフィールドは、初期化期間、書込み期間、維持期間を有する。初期化期間では、それ以前の放電セルの壁電荷の履歴を消去し、続く書込み放電に必要な壁電荷を各電極上に形成する初期化動作を行う。書込み期間では、発光させるべき放電セルで選択的に書込み放電を発生し、壁電荷を形成する書込み動作を行う。維持期間では、サブフィールド毎にあらかじめ決められた輝度重みに応じた数の維持パルスを表示電極対に交互に印加して、書込み放電を発生した放電セルで維持放電を発生させて発光させる維持動作を行う。なお、発光輝度を低く抑えるために維持期間を省略してもよい。
【００２４】
サブフィールド構成としては、例えば、１フィールドを１０のサブフィールド（ＳＦ１、ＳＦ２、・・・、ＳＦ１０）に分割し、各サブフィールドはそれぞれ、（１、２、３、６、１１、１８、３０、４４、６０、８０）の輝度重みを持つものとする。そしてＳＦ１の初期化期間で強制初期化動作を行い、ＳＦ２〜ＳＦ１０の初期化期間で選択初期化動作を行う。しかし本発明は上記のサブフィールド数、輝度重み等のサブフィールド構成に限定されるものではない。
【００２５】
図３は、本発明の実施の形態１におけるプラズマディスプレイ装置の各電極に印加する駆動電圧図である。
【００２６】
ＳＦ１の初期化期間では、まずデータ電極Ｄ１〜Ｄｍに電圧０（Ｖ）を印加し、維持電極ＳＵ１〜ＳＵｎにも電圧０（Ｖ）を印加する。そして走査電極ＳＣ１〜ＳＣｎに、維持電極ＳＵ１〜ＳＵｎに対する放電開始電圧以下の電圧Ｖｉ１から放電開始電圧を超える電圧Ｖｉ２に向かって緩やかに上昇する上り傾斜波形電圧を印加する。すると走査電極ＳＣ１〜ＳＣｎと維持電極ＳＵ１〜ＳＵｎとの間、走査電極ＳＣ１〜ＳＣｎとデータ電極Ｄ１〜Ｄｍとの間でそれぞれ微弱な初期化放電が起こり、走査電極ＳＣ１〜ＳＣｎ上に負の壁電圧が蓄積されるとともにデータ電極Ｄ１〜Ｄｍ上および維持電極ＳＵ１〜ＳＵｎ上に正の壁電圧が蓄積される。ここで電極上の壁電圧とは、電極を覆う誘電体層上、保護層上、蛍光体層上等に蓄積された壁電荷により生じる電圧を表す。
【００２７】
次に、維持電極ＳＵ１〜ＳＵｎに電圧Ｖｅを印加し、走査電極ＳＣ１〜ＳＣｎに電圧Ｖｉ３から電圧Ｖｉ４に向かって緩やかに下降する下り傾斜波形電圧を印加する。すると再び微弱な初期化放電が発生し、走査電極ＳＣ１〜ＳＣｎ上および維持電極ＳＵ１〜ＳＵｎ上の壁電圧が弱められる。またデータ電極Ｄ１〜Ｄｍの壁電圧の過剰な部分が放電され、書込み動作に適した壁電圧に調整される。このようにして、全ての放電セルで初期化放電が発生する強制初期化動作が完了する。
【００２８】
ＳＦ１の書込み期間では、データ電極Ｄ１〜Ｄｍに電圧０（Ｖ）を、維持電極ＳＵ１〜ＳＵｎには電圧Ｖｅを引き続き印加し、走査電極ＳＣ１〜ＳＣｎに電圧Ｖｃを印加する。
【００２９】
次に、１行目の走査電極ＳＣ１に電圧Ｖａの走査パルスを印加するとともに発光すべき放電セルに対応するデータ電極Ｄｋに電圧Ｖｄの書込みパルスを印加する。するとデータ電極Ｄｋ上と走査電極ＳＣ１上との交差部の電圧差は、外部印加電圧の差（Ｖｄ−Ｖａ）にデータ電極Ｄｋ上の正の壁電圧が加算され放電開始電圧を超える。そしてデータ電極Ｄｋと走査電極ＳＣ１との間で放電が発生し、これが走査電極ＳＣ１と維持電極ＳＵ１との間の放電に伸展して書込み放電が起こる。そして走査電極ＳＣ１上に正の壁電圧が蓄積され、維持電極ＳＵ１上に負の壁電圧が蓄積され、データ電極Ｄｋ上にも負の壁電圧が蓄積される。このようにして、１行目に発光させるべき放電セルで書込み放電を起こして各電極上に壁電圧を蓄積する書込み動作が行われる。一方、書込みパルスを印加しなかったデータ電極Ｄｈと走査電極ＳＣ１との交差部の電圧は放電開始電圧を超えないので、書込み放電は発生しない。
【００３０】
次に、２行目の走査電極ＳＣ２に走査パルスを印加するとともに、発光すべき放電セルに対応するデータ電極Ｄｋに書込みパルスを印加する。するとデータ電極Ｄｋと走査電極ＳＣ２との間および維持電極ＳＵ２と走査電極ＳＣ２との間で書込み放電が起こり、走査電極ＳＣ２上に正の壁電圧が蓄積され、維持電極ＳＵ２上に負の壁電圧が蓄積され、データ電極Ｄｋ上にも負の壁電圧が蓄積される。このようにして、２行目に発光させるべき放電セルで書込み放電を起こして各電極上に壁電圧を蓄積する書込み動作が行われる。一方、書込みパルスを印加しなかったデータ電極Ｄｈと走査電極ＳＣ２との交差部の電圧は放電開始電圧を超えないので、書込み放電は発生しない。
【００３１】
以下、ｎ行目の走査電極ＳＣｎに至るまで同様の書込み動作を行い、続く維持放電に必要な壁電荷を形成する。
【００３２】
ＳＦ１の維持期間では、維持電極ＳＵ１〜ＳＵｎに電圧０（Ｖ）を印加するとともに走査電極ＳＣ１〜ＳＣｎに電圧Ｖｓの維持パルスを印加する。すると書込み放電を起こした放電セルでは、走査電極ＳＣｉ上と維持電極ＳＵｉ上との電圧差が電圧Ｖｓに走査電極ＳＣｉ上の壁電圧と維持電極ＳＵｉ上の壁電圧との差を加算したものとなり走査電極ＳＣｉと維持電極ＳＵｉとの間の放電開始電圧を超える。そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。一方、書込み放電が起きなかった放電セルでは維持放電は発生せず、初期化動作の終了時における壁電圧が保たれる。
【００３３】
続いて、走査電極ＳＣ１〜ＳＣｎに電圧０（Ｖ）を印加するとともに維持電極ＳＵ１〜ＳＵｎに電圧Ｖｓの維持パルスを印加する。すると、維持放電を起こした放電セルでは再び維持放電が起こり、蛍光体層３５が発光する。そして維持電極ＳＵｉ上に負の壁電圧が蓄積され走査電極ＳＣｉ上に正の壁電圧が蓄積される。
【００３４】
以降同様に、走査電極ＳＣ１〜ＳＣｎと維持電極ＳＵ１〜ＳＵｎとに交互に輝度重みに応じた数の維持パルスを印加し、書込み放電を起こした放電セルで維持放電を継続して発生させる。
【００３５】
続くＳＦ２の初期化期間では、維持電極ＳＵ１〜ＳＵｎに第１の電圧である電圧０（Ｖ）を印加するとともに走査電極ＳＣ１〜ＳＣｎには電圧０（Ｖ）から電圧Ｖｒまで緩やかに上昇する上り傾斜波形電圧を印加する。なお本実施の形態においては電圧Ｖｒは電圧Ｖｓと同じ電圧に設定されている。すると維持放電を行った放電セル（維持期間が省略されている場合は書込み放電を行った放電セル）では走査電極ＳＣｉを陽極とし維持電極ＳＵｉを陰極とする１回目の微弱な消去放電が発生する。そして走査電極ＳＣｉ上および維持電極ＳＵｉ上の壁電圧が弱められる。
【００３６】
次に、維持電極ＳＵ１〜ＳＵｎに電圧０（Ｖ）を印加したまま、走査電極ＳＣ１〜ＳＣｎには電圧０（Ｖ）から電圧Ｖｉ４に向かって緩やかに下降する下り傾斜波形電圧を印加する。すると微弱な消去放電を発生した放電セルで再び微弱な放電が発生する。このときの微弱放電は走査電極を陰極としデータ電極を陽極とする１回目の放電である。なお電圧Ｖｉ４は、走査パルスの電圧Ｖａと等しいか電圧Ｖａよりわずかに高い電圧に設定されている。
【００３７】
その後、走査電極ＳＣ１〜ＳＣｎに電圧Ｖｒの矩形電圧を時間Ｔｅの間印加する。すると微弱な消去放電を発生した放電セルで３回目の放電が発生する。このときの放電は走査電極を陽極とし維持電極を陰極とする２回目の放電である。そしてこのときの放電は、走査電極に電圧Ｖｒまで上昇する傾斜波形電圧を印加して放電を発生させた後、走査電極を陰極とし維持電極を陽極とする放電を発生させることなく、再び走査電極に電圧Ｖｒを印加して発生させる放電であるので弱い放電となる。
【００３８】
さらにその後、維持電極ＳＵ１〜ＳＵｎに第１の電圧よりも高い第２の電圧である電圧Ｖｅを印加し、走査電極ＳＣ１〜ＳＣｎには電圧０（Ｖ）から電圧Ｖｉ４に向かって緩やかに下降する下り傾斜波形電圧を印加する。すると放電を発生した放電セルで４回目の微弱な放電が発生する。このときの放電は走査電極を陰極としデータ電極を陽極とする２回目の放電である。さらに走査電極を陰極とし維持電極を陽極とする放電も発生する。そしてこの微弱放電により走査電極ＳＣｉ上、維持電極ＳＵｉ上の壁電圧、およびデータ電極Ｄｋ上の壁電圧の過剰な部分が放電され、書込み動作に適した壁電圧に調整される。このようにして初期化動作が完了する。
【００３９】
ここで発生する放電は緩やかに降下する下り傾斜波形電圧による。したがって発生する放電は微弱な放電となり、走査電極ＳＣｉ上、維持電極ＳＵｉ上の壁電圧、およびデータ電極Ｄｋ上の壁電圧は非常に精度よく調整される。このように矩形電圧を用いて発生させた放電に続けて緩やかな傾斜波形電圧を用いて放電を発生させると壁電圧を精度よく調整することができ、続く書込み放電を安定して発生させることができる。
【００４０】
続くＳＦ２の書込み期間の動作はＳＦ１の書込み期間の動作と同じであり、ＳＦ２の維持期間の動作は、維持パルス数を除きＳＦ１の維持期間の動作と同じである。またＳＦ３〜ＳＦ１０における動作は、維持パルス数を除きＳＦ２の動作と同様である。
【００４１】
なお、本実施の形態においては、電圧Ｖｉ１は２００（Ｖ）、電圧Ｖｉ２は４００（Ｖ）、電圧Ｖｉ３は２００（Ｖ）、電圧Ｖｉ４は−１８０（Ｖ）、電圧Ｖｃは−５５（Ｖ）、電圧Ｖａは−２００（Ｖ）、電圧Ｖｓは２００（Ｖ）、電圧Ｖｒは２００（Ｖ）、電圧Ｖｅは１５０（Ｖ）、電圧Ｖｄは６０（Ｖ）である。また時間Ｔｅは５０μｓである。しかしこれらの電圧値は上述した値に限定されるものではなく、パネルの放電特性やプラズマディスプレイ装置の仕様にもとづき最適に設定することが望ましい。
【００４２】
このように本実施の形態においては、初期化期間において、維持電極ＳＵｉを陰極とし走査電極ＳＣｉを陽極とする１回目の放電を発生させ、その後、走査電極ＳＣｉを陰極としデータ電極Ｄｋを陽極とする１回目の放電を発生させ、その後、維持電極ＳＵｉを陰極とし走査電極ＳＣｉを陽極とする２回目の放電を発生させ、その後、走査電極ＳＣｉを陰極としデータ電極Ｄｋを陽極とする２回目の放電を発生させている。さらにこれらの放電を弱い放電とし、それにともなう発光を抑えるために、維持電極ＳＵ１〜ＳＵｎに第１の電圧である電圧０（Ｖ）を印加するとともに走査電極ＳＣ１〜ＳＣｎに傾斜が１０（Ｖ／μｓ）である上り傾斜波形電圧を印加し、その後、走査電極ＳＣ１〜ＳＣｎに傾斜が−１．５（Ｖ／μｓ）である下り傾斜波形電圧を印加し、その後、走査電極ＳＣ１〜ＳＣｎに立上り時間が１（μｓ）以下の正の矩形状電圧を印加し、その後、維持電極ＳＵ１〜ＳＵｎに第１の電圧よりも高い第２の電圧である電圧Ｖｅを印加するとともに走査電極ＳＣ１〜ＳＣｎに傾斜が−１．５（Ｖ／μｓ）である下り傾斜波形電圧を印加している。
【００４３】
このように、強い放電を発生させなくても、微弱な放電を複数回繰り返し発生させることによって各電極上に十分な壁電圧を蓄積することができ、続く書込み放電を安定して発生させることができる。
【００４４】
図４は、特許文献２に記載されている従来の駆動方法による電圧設定マージンと、本実施の形態における駆動方法による電圧設定マージンとを測定した実験結果であり、図４Ａは、維持パルスのパルス波高値である電圧Ｖｓの設定範囲を、図４Ｂは、書込みパルスのパルス波高値である電圧Ｖｄの設定範囲をそれぞれ示している。
【００４５】
図４Ａに示すように、従来の駆動方法による電圧Ｖｓの設定範囲は１７０（Ｖ）〜１８３（Ｖ）であり、本実施の形態における駆動方法による電圧Ｖｓの設定範囲は１７０（Ｖ）〜２１０（Ｖ）である。このように本実施の形態における駆動方法によれば、従来の駆動方法に比較して、電圧設定マージンが大幅に広がっていることがわかる。
【００４６】
本実施の形態における駆動方法で駆動マージンが広がる理由について、例えば次のように考えることができる。維持期間において走査電極ＳＣ１〜ＳＣｎおよび維持電極ＳＵ１〜ＳＵｎに交互に維持パルスを印加した後に、走査電極ＳＣ１〜ＳＣｎに電圧Ｖｒまで上昇する上り傾斜波形電圧を印加して消去放電を発生させる。このとき、維持放電を発生した放電セルでのみ消去放電を発生させるためには、電圧Ｖｒをあまり高く設定することができず、電圧Ｖｓと同程度の電圧に設定する必要がある。そしてそのときの放電では維持放電による壁電圧の履歴を完全に消去することができず、維持放電で蓄積された壁電荷が残留する。従来の駆動方法によれば、この残留した壁電圧が維持パルスに加算されるため、選択初期化動作に続く書込み期間において書込み動作を行わなかった放電セルであっても、続く維持期間において維持放電が発生する確率が高くなる。そのため電圧Ｖｓを高く設定することができない。
【００４７】
しかしながら本実施の形態における駆動方法によれば、維持期間において走査電極ＳＣ１〜ＳＣｎおよび維持電極ＳＵ１〜ＳＵｎに交互に維持パルスを印加した後に、維持電極ＳＵｉを陰極とし走査電極ＳＣｉを陽極とする放電および走査電極ＳＣｉを陰極としデータ電極Ｄｋを陽極とする放電を交互に２回ずつ発生させる。そのため維持放電による壁電圧の履歴が消去され、書込み期間において書込み動作を行わなかった放電セルで維持放電が発生するおそれがなく、電圧Ｖｓを高く設定することができる。
【００４８】
また、図４Ｂに示すように、従来の駆動方法による電圧Ｖｄの設定範囲の下限が５８（Ｖ）であり、本実施の形態における駆動方法による電圧Ｖｄの設定範囲の下限は、時間Ｔｅ＝４０μｓの場合に５５（Ｖ）、時間Ｔｅ＝５５μｓの場合に５２（Ｖ）である。このように本実施の形態における駆動方法によれば、従来の駆動方法に比較して、電圧Ｖｄの電圧設定マージンも広がっていることがわかる。なお、データ電極駆動回路の耐圧の上限電圧に電圧Ｖｄを設定しても、本実施の形態における駆動方法および従来の駆動方法いずれも正常に動作した。
【００４９】
このように、本発明の実施の形態１におけるパネルの駆動方法によれば、従来のパネルの駆動方法に比較して、電圧Ｖｓおよび電圧Ｖｄの電圧設定マージンを広げることができる。上記以外にも、走査パルスのパルス波高値等についても電圧設定マージンを広げることができる。なお、電圧Ｖｄの設定範囲、および走査パルスのパルス波高値の設定範囲は走査電極ＳＣ１〜ＳＣｎに電圧Ｖｒの矩形電圧を印加する時間Ｔｅへの依存性があり、時間Ｔｅを長く設定すると電圧設定マージンも広がる傾向がある。しかし実用上は時間Ｔｅを５０μｓ程度に設定すれば十分な電圧設定マージンを確保することができる。
【００５０】
次に、パネル１０を駆動するための駆動回路について説明する。図５は、本発明の実施の形態１におけるプラズマディスプレイ装置４０の回路ブロック図である。プラズマディスプレイ装置４０は、パネル１０とその駆動回路とを備え、駆動回路は、画像信号処理回路４１、データ電極駆動回路４２、走査電極駆動回路４３、維持電極駆動回路４４、タイミング発生回路４５および各回路ブロックに必要な電源を供給する電源回路（図示せず）を備えている。
【００５１】
画像信号処理回路４１は、入力された画像信号をサブフィールド毎の発光・非発光を示す画像データに変換する。データ電極駆動回路４２はサブフィールド毎の画像データを各データ電極Ｄ１〜Ｄｍに対応する書込みパルスに変換し各データ電極Ｄ１〜Ｄｍに印加する。タイミング発生回路４５は垂直同期信号および水平同期信号をもとにして各回路ブロックの動作を制御する各種のタイミング信号を発生し、それぞれの回路ブロックへ供給する。走査電極駆動回路４３は、タイミング信号にもとづいて上述した駆動電圧を発生し各走査電極ＳＣ１〜ＳＣｎのそれぞれに印加する。維持電極駆動回路４４は、タイミング信号にもとづいて上述した駆動電圧を発生し維持電極ＳＵ１〜ＳＵｎに印加する。
【００５２】
図６は、本発明の実施の形態１におけるプラズマディスプレイ装置４０の走査電極駆動回路４３の回路図である。走査電極駆動回路４３は、維持パルス発生回路５０と、傾斜波形電圧発生回路６０と、走査パルス発生回路７０とを備えている。
【００５３】
維持パルス発生回路５０は、電力回収回路５１と、スイッチング素子Ｑ５５と、スイッチング素子Ｑ５６と、スイッチング素子Ｑ５９とを有し、走査電極ＳＣ１〜ＳＣｎに印加する維持パルスを発生する。電力回収回路５１は走査電極ＳＣ１〜ＳＣｎを駆動するときの電力を回収して再利用する。スイッチング素子Ｑ５５は走査電極ＳＣ１〜ＳＣｎを電圧Ｖｓにクランプし、スイッチング素子Ｑ５６は走査電極ＳＣ１〜ＳＣｎを電圧０（Ｖ）にクランプする。スイッチング素子Ｑ５９は分離スイッチであり、走査電極駆動回路４３を構成するスイッチング素子の寄生ダイオード等を介して電流が逆流するのを防止するために設けられている。
【００５４】
走査パルス発生回路７０は、スイッチング素子Ｑ７１Ｈ１〜Ｑ７１Ｈｎ、Ｑ７１Ｌ１〜Ｑ７１Ｌｎ、スイッチング素子Ｑ７２を有する。そして電圧Ｖａの電源、および走査パルス発生回路７０の基準電位（図６に示した節点Ａの電位）に重畳された電圧（Ｖｃ−Ｖａ）の電源Ｅ７１をもとにして走査パルスを発生し、走査電極ＳＣ１〜ＳＣｎのそれぞれに、図３に示したタイミングで走査パルスを順次印加する。なお、走査パルス発生回路７０は、維持動作時には維持パルス発生回路５０の出力電圧をそのまま出力する。すなわち、節点Ａの電圧を走査電極ＳＣ１〜ＳＣｎへ出力する。
【００５５】
傾斜波形電圧発生回路６０は、ミラー積分回路６１、６２、６３を備え、図３に示した傾斜波形電圧を発生させる。ミラー積分回路６１は、トランジスタＱ６１とコンデンサＣ６１と抵抗Ｒ６１とを有し、入力端子ＩＮ６１に一定の電圧を印加することにより、電圧Ｖｉ２に向かって緩やかに上昇する上り傾斜波形電圧を発生する。ミラー積分回路６２は、トランジスタＱ６２とコンデンサＣ６２と抵抗Ｒ６２と逆流防止用のダイオードＤ６２とを有し、入力端子ＩＮ６２に一定の電圧を印加することにより、電圧Ｖｒに向かって緩やかに上昇する上り傾斜波形電圧を発生する。ミラー積分回路６３は、トランジスタＱ６３とコンデンサＣ６３と抵抗Ｒ６３とを有し、入力端子ＩＮ６３に一定の電圧を印加することにより、電圧Ｖｉ４に向かって緩やかに低下する下り傾斜波形電圧を発生する。なおスイッチング素子Ｑ６９も分離スイッチであり、走査電極駆動回路４３を構成するスイッチング素子の寄生ダイオード等を介して電流が逆流するのを防止するために設けられている。
【００５６】
なお、これらのスイッチング素子およびトランジスタは、ＭＯＳＦＥＴやＩＧＢＴ等の一般に知られた素子を用いて構成することができる。またこれらのスイッチング素子およびトランジスタは、タイミング発生回路４５で発生したそれぞれのスイッチング素子およびトランジスタに対応するタイミング信号により制御される。
【００５７】
図７は、本発明の実施の形態１におけるプラズマディスプレイ装置４０の維持電極駆動回路４４の回路図である。維持電極駆動回路４４は、維持パルス発生回路８０と、一定電圧発生回路８５とを備えている。
【００５８】
維持パルス発生回路８０は、電力回収回路８１と、スイッチング素子Ｑ８３と、スイッチング素子Ｑ８４とを有し、維持電極ＳＵ１〜ＳＵｎに印加する維持パルスを発生する。電力回収回路８１は維持電極ＳＵ１〜ＳＵｎを駆動するときの電力を回収して再利用する。スイッチング素子Ｑ８３は維持電極ＳＵ１〜ＳＵｎを電圧Ｖｓにクランプし、スイッチング素子Ｑ８４は維持電極ＳＵ１〜ＳＵｎを電圧０（Ｖ）にクランプする。
【００５９】
一定電圧発生回路８５は、スイッチング素子Ｑ８６、Ｑ８７を有し、維持電極ＳＵ１〜ＳＵｎに電圧Ｖｅを印加する。
【００６０】
なお、これらのスイッチング素子も、ＭＯＳＦＥＴやＩＧＢＴ等の一般に知られた素子を用いて構成することができる。またこれらのスイッチング素子も、タイミング発生回路４５で発生したそれぞれのスイッチング素子に対応するタイミング信号により制御される。
【００６１】
図６に示した走査電極駆動回路４３および図７に示した維持電極駆動回路４４を用いて、ＳＦ２の初期化期間において走査電極ＳＣ１〜ＳＣｎおよび維持電極ＳＵ１〜ＳＵｎに印加する駆動電圧を発生する方法について説明する。なおここでも電圧Ｖｒは電圧Ｖｓと同じ電圧に設定されているものとする。
【００６２】
維持電極ＳＵ１〜ＳＵｎに電圧０（Ｖ）を印加するには、スイッチング素子Ｑ８４をオンにする。走査電極ＳＣ１〜ＳＣｎに電圧Ｖｒまで緩やかに上昇する上り傾斜波形電圧を印加するには、スイッチング素子Ｑ７１Ｌ１〜Ｑ７１Ｌｎ、スイッチング素子Ｑ６９をオンにし、入力端子ＩＮ６２に電圧を印加してミラー積分回路６２を動作させる。
【００６３】
次に、走査電極ＳＣ１〜ＳＣｎに電圧０（Ｖ）から電圧Ｖｉ４に向かって緩やかに下降する下り傾斜波形電圧を印加するには、ミラー積分回路６２のトランジスタＱ６２をオフにし、スイッチング素子Ｑ５６をオンにして、走査電極ＳＣ１〜ＳＣｎに電圧０（Ｖ）を印加する。そしてスイッチング素子Ｑ５６、Ｑ６９をオフにし、入力端子ＩＮ６３に電圧を印加してミラー積分回路６３を動作させる。
【００６４】
その後、走査電極ＳＣ１〜ＳＣｎに電圧Ｖｒの矩形電圧を印加するには、ミラー積分回路６３のトランジスタＱ６３をオフにし、スイッチング素子Ｑ６９、Ｑ５９、Ｑ５５をオンにする。
【００６５】
さらにその後、維持電極ＳＵ１〜ＳＵｎに電圧Ｖｅを印加するには、スイッチング素子Ｑ８４をオフにし、スイッチング素子Ｑ８６、Ｑ８７をオンにする。走査電極ＳＣ１〜ＳＣｎに電圧０（Ｖ）から電圧Ｖｉ４に向かって緩やかに下降する下り傾斜波形電圧を印加するには、ミラー積分回路６２のトランジスタＱ６２をオフにし、スイッチング素子Ｑ５６をオンにして、走査電極ＳＣ１〜ＳＣｎに電圧０（Ｖ）を印加する。そしてスイッチング素子Ｑ５６、Ｑ６９をオフにし、入力端子ＩＮ６３に電圧を印加してミラー積分回路６３を動作させる。
【００６６】
なお走査電極ＳＣ１〜ＳＣｎの電圧が電圧Ｖｉ４に到達する直前に維持電極駆動回路４４のスイッチング素子Ｑ８６、Ｑ８７をオフにして、維持電極ＳＵ１〜ＳＵｎをハイインピーダンス状態としてもよい。このように駆動することにより、続く書込み動作をさらに安定して発生させることができる。図３には、このような駆動電圧を示した。
【００６７】
このようにして、図３に示したパネルの駆動電圧を発生させることができる。しかし図５〜図７に示した駆動回路は一例であって、本発明がこれらの駆動回路の回路構成に限定されるものではない。
【００６８】
（実施の形態２）
実施の形態２におけるパネルおよびプラズマディスプレイ装置の駆動回路は実施の形態１におけるパネル１０およびプラズマディスプレイ装置４０と同様であるため、詳細な説明は省略する。
【００６９】
実施の形態２におけるパネル１０を駆動するための駆動電圧波形とその動作について説明する。プラズマディスプレイ装置は、サブフィールド法、すなわち１フィールドを複数のサブフィールドに分割し、サブフィールド毎に各放電セルの発光・非発光を制御することによって画像を表示する。
【００７０】
本実施の形態においては、それぞれのサブフィールドは、書込み期間、維持期間および消去期間を有する。本実施の形態においてはそれまでの放電の有無にかかわらず強制的に初期化放電を発生させる強制初期化動作を行わない。
【００７１】
書込み期間では、発光させるべき放電セルで選択的に書込み放電を発生し壁電荷を形成する書込み動作を行う。維持期間では、サブフィールド毎にあらかじめ決められた輝度重みに応じた数の維持パルスを表示電極対に交互に印加して、書込み放電を発生した放電セルで維持放電を発生させて発光させる維持動作を行う。なお、発光輝度を低く抑えるために維持期間を省略してもよい。消去期間では、直前の書込み期間において書込み放電を発生した放電セルのみで選択的に消去放電を発生し、書込み放電またはそれに続く維持放電で形成された壁電荷の履歴を消去し、続く書込み放電に必要な壁電荷を各電極上に形成する消去動作を行う。
【００７２】
サブフィールド構成としては、例えば、１フィールドを１０のサブフィールド（ＳＦ１、ＳＦ２、・・・、ＳＦ１０）に分割し、各サブフィールドはそれぞれ、（１、２、３、６、１１、１８、３０、４４、６０、８０）の輝度重みを持つものとする。しかし、本発明は上記のサブフィールド数、輝度重み等のサブフィールド構成に限定されるものではない。
【００７３】
図８は、本発明の実施の形態２におけるプラズマディスプレイ装置の各電極に印加する駆動電圧波形図である。
【００７４】
ＳＦ１の書込み期間では、データ電極Ｄ１〜データ電極Ｄｍに電圧０（Ｖ）を、維持電極ＳＵ１〜維持電極ＳＵｎには電圧Ｖｅを印加し、走査電極ＳＣ１〜走査電極ＳＣｎに電圧Ｖｃを印加する。次に、１行目の走査電極ＳＣ１に電圧Ｖａの走査パルスを印加するとともに発光すべき放電セルに対応するデータ電極Ｄｋに電圧Ｖｄの書込みパルスを印加する。
【００７５】
するとデータ電極Ｄｋ上と走査電極ＳＣ１上との交差部の電圧差は、外部印加電圧の差（Ｖｄ−Ｖａ）にデータ電極Ｄｋ上の正の壁電圧が加算され、放電開始電圧ＶＦｄｓを超えるためデータ電極Ｄｋと走査電極ＳＣ１との間で放電が発生する。そしてデータ電極Ｄｋと走査電極ＳＣ１との間で発生した放電が走査電極ＳＣ１と維持電極ＳＵ１との間に伸展して書込み放電が起こる。そして走査電極ＳＣ１上に正の壁電圧が蓄積され、維持電極ＳＵ１上に負の壁電圧が蓄積され、データ電極Ｄｋ上にも負の壁電圧が蓄積される。ここで電極上の壁電圧とは、電極を覆う誘電体層上、保護層上、蛍光体層上等に蓄積された壁電荷により生じる電圧を表す。
【００７６】
このようにして、１行目に発光させるべき放電セルで書込み放電を起こして各電極上に壁電圧を蓄積する書込み動作が行われる。一方、書込みパルスを印加しなかったデータ電極Ｄｈと走査電極ＳＣ１との交差部の電圧は放電開始電圧ＶＦｄｓを超えないので、書込み放電は発生しない。
【００７７】
次に、２行目の走査電極ＳＣ２に走査パルスを印加するとともに、発光すべき放電セルに対応するデータ電極Ｄｋに書込みパルスを印加する。するとデータ電極Ｄｋと走査電極ＳＣ２との間および維持電極ＳＵ２と走査電極ＳＣ２との間で書込み放電が起こり、走査電極ＳＣ２上に正の壁電圧が蓄積され、維持電極ＳＵ２上に負の壁電圧が蓄積され、データ電極Ｄｋ上にも負の壁電圧が蓄積される。このようにして、２行目に発光させるべき放電セルで書込み放電を起こして各電極上に壁電圧を蓄積する書込み動作が行われる。一方、書込みパルスを印加しなかったデータ電極Ｄｈと走査電極ＳＣ２との交差部の電圧は放電開始電圧ＶＦｄｓを超えないので、書込み放電は発生しない。
【００７８】
以下、ｎ行目の走査電極ＳＣｎに至るまで同様の書込み動作を行い、続く維持放電に必要な壁電荷を形成する。
【００７９】
ここで、以下の説明のために、第１の電圧Ｖ１、第２の電圧Ｖ２、第３の電圧Ｖ３を、図９に示すように定義する。後述する維持期間において走査電極ＳＣｉに印加する維持パルスの低圧側電圧からデータ電極Ｄｊに印加する電圧を減じた電圧を第１の電圧Ｖ１とし、維持期間において走査電極ＳＣｉに印加する維持パルスの高圧側電圧からデータ電極Ｄｊに印加する電圧を減じた電圧を第２の電圧Ｖ２とし、書込み期間において走査電極ＳＣｉに印加する走査パルスの低圧側電圧からデータ電極Ｄｊに印加するデータパルスの低圧側電圧を減じた電圧を第３の電圧Ｖ３とする。
【００８０】
さらに、データ電極Ｄｊを陽極とし走査電極ＳＣｉを陰極とする放電開始電圧を放電開始電圧ＶＦｄｓとし、データ電極Ｄｊを陰極とし走査電極ＳＣｉを陽極とする放電開始電圧を放電開始電圧ＶＦｓｄとする。なお、データ電極Ｄｊを陽極とし走査電極ＳＣｉを陰極とする放電とは、放電が発生するときの放電セル内の電界が、データ電極Ｄｊ側が高電位側、走査電極ＳＣｉ側が低電位側となる放電である。またデータ電極Ｄｊを陰極とし走査電極ＳＣｉを陽極とする放電とは、放電が発生するときの放電セル内の電界が、データ電極Ｄｊ側が低電位側、走査電極ＳＣｉ側が高電位側となる放電である。そして走査電極ＳＣｉ側には電子放出性能の高い酸化マグネシウムの保護層２６が形成されているため、放電開始電圧ＶＦｄｓは放電開始電圧ＶＦｓｄよりも低くなる。
【００８１】
このとき走査電極ＳＣｉに印加する走査パルスの電圧Ｖａは、次の２つの条件（条件１）、（条件２）を満たすように設定されている。
【００８２】
（条件１）全ての放電セルに対して、第１の電圧Ｖ１から第３の電圧Ｖ３を減じた電圧が、データ電極Ｄｊを陽極とし走査電極ＳＣｉを陰極とする放電開始電圧ＶＦｄｓ以上、すなわち、
（Ｖ１−Ｖ３）≧ＶＦｄｓを満たす。
【００８３】
（条件２）全ての放電セルに対して、第２の電圧Ｖ２から第３の電圧Ｖ３を減じた電圧が、データ電極Ｄｊを陽極とし走査電極ＳＣｉを陰極とする放電開始電圧ＶＦｄｓとデータ電極Ｄｊを陰極とし走査電極ＳＣｉを陽極とする放電開始電圧ＶＦｓｄとの和を超えないこと、すなわち、
（Ｖ２−Ｖ３）≦（ＶＦｄｓ＋ＶＦｓｄ）を満たす。
【００８４】
書込み期間の後に続くＳＦ１の維持期間では、維持電極ＳＵ１〜維持電極ＳＵｎに電圧０（Ｖ）を印加するとともに走査電極ＳＣ１〜走査電極ＳＣｎに電圧Ｖｓの維持パルスを印加する。すると書込み放電を起こした放電セルでは、走査電極ＳＣｉ上と維持電極ＳＵｉ上との電圧差が電圧Ｖｓに走査電極ＳＣｉ上の壁電圧と維持電極ＳＵｉ上の壁電圧との差を加算したものとなり走査電極ＳＣｉと維持電極ＳＵｉとの間の放電開始電圧ＶＦｓｓを超える。そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。一方、書込み放電が起きなかった放電セルでは維持放電は発生せず、初期化動作の終了時における壁電圧が保たれる。
【００８５】
続いて、走査電極ＳＣ１〜走査電極ＳＣｎに電圧０（Ｖ）を印加するとともに維持電極ＳＵ１〜維持電極ＳＵｎに電圧Ｖｓの維持パルスを印加する。すると、維持放電を起こした放電セルでは再び維持放電が起こり、蛍光体層３５が発光する。そして維持電極ＳＵｉ上に負の壁電圧が蓄積され走査電極ＳＣｉ上に正の壁電圧が蓄積される。以降同様に、走査電極ＳＣ１〜走査電極ＳＣｎと維持電極ＳＵ１〜維持電極ＳＵｎとに交互に輝度重みに応じた数の維持パルスを印加し、書込み放電を起こした放電セルで維持放電を継続して発生させる。
【００８６】
続くＳＦ１の消去期間では、維持電極ＳＵ１〜維持電極ＳＵｎに第４の電圧である電圧０（Ｖ）を印加するとともに走査電極ＳＣ１〜走査電極ＳＣｎには電圧Ｖｒまで緩やかに上昇する上り傾斜波形電圧を印加する。なお本実施の形態においては電圧Ｖｒは電圧Ｖｓと同じ電圧に設定されている。すると維持放電を行った放電セル（維持期間が省略されている場合は書込み放電を行った放電セル）では走査電極ＳＣｉを陽極とし維持電極ＳＵｉを陰極とする１回目の微弱な消去放電が発生する。そして走査電極ＳＣｉ上および維持電極ＳＵｉ上の壁電圧が弱められる。
【００８７】
次に、維持電極ＳＵ１〜維持電極ＳＵｎに電圧０（Ｖ）を印加したまま、走査電極ＳＣ１〜走査電極ＳＣｎには電圧０（Ｖ）から電圧Ｖｉ４に向かって緩やかに下降する下り傾斜波形電圧を印加する。すると微弱な消去放電を発生した放電セルで再び微弱な放電が発生する。このときの微弱放電は走査電極ＳＣｉを陰極としデータ電極Ｄｋを陽極とする１回目の放電である。なお電圧Ｖｉ４は、走査パルスの電圧Ｖａと等しいか電圧Ｖａよりわずかに高い電圧に設定されている。
【００８８】
その後、走査電極ＳＣ１〜走査電極ＳＣｎに電圧Ｖｒの矩形電圧を印加する。すると微弱な消去放電を発生した放電セルで３回目の放電が発生する。このときの放電は走査電極ＳＣｉを陽極とし維持電極ＳＵｉを陰極とする２回目の放電であり、弱い放電である。
【００８９】
さらにその後、維持電極ＳＵ１〜維持電極ＳＵｎに第４の電圧０（Ｖ）よりも高い第５の電圧である電圧Ｖｅを印加し、走査電極ＳＣ１〜走査電極ＳＣｎには電圧０（Ｖ）から電圧Ｖｉ４に向かって緩やかに下降する下り傾斜波形電圧を印加する。すると放電を発生した放電セルで４回目の放電が発生する。このときの放電は走査電極ＳＣｉを陰極としデータ電極Ｄｋを陽極とする２回目の放電である。そしてこの微弱放電により走査電極ＳＣｉ上、維持電極ＳＵｉ上の壁電圧、およびデータ電極Ｄｋ上の壁電圧の過剰な部分が放電され、書込み動作に適した壁電圧に調整される。このようにして消去動作が完了する。
【００９０】
続くＳＦ２〜ＳＦ１０における動作は、維持パルス数を除きＳＦ１の動作と同様である。
【００９１】
このように、本実施の形態においては、全てのサブフィールドの消去期間で、直前の書込み期間において書込み放電を発生した放電セルのみで消去放電を発生する。そして本実施の形態においては、書込み放電を発生しなかった放電セルで放電が発生することはない。そのため黒を表示する放電セルで発光が発生することはない。
【００９２】
本実施の形態においては、電圧Ｖｉ４は−２６０（Ｖ）、電圧Ｖｃは−１４５（Ｖ）、電圧Ｖａは−２８０（Ｖ）、電圧Ｖｓは２００（Ｖ）、電圧Ｖｒは２００（Ｖ）、電圧Ｖｅは２０（Ｖ）、電圧Ｖｄは６０（Ｖ）である。しかしこれらの電圧値は上述した値に限定されるものではなく、パネルの放電特性やプラズマディスプレイ装置の仕様にもとづき最適に設定することが望ましい。
【００９３】
なお、本実施の形態において用いたパネル１０の放電開始電圧ＶＦｄｓや放電開始電圧ＶＦｓｄは、後述する方法により測定されており、それらの値は以下のとおりである。放電開始電圧は蛍光体によって異なり、赤の蛍光体を塗布した放電セルに対する「データ電極−走査電極」間の放電開始電圧ＶＦｄｓは２００±１０（Ｖ）、同放電開始電圧ＶＦｓｄは３２０±１０（Ｖ）、緑の蛍光体を塗布した放電セルに対する「データ電極−走査電極」間の放電開始電圧ＶＦｄｓは２２０±１０（Ｖ）、同放電開始電圧ＶＦｓｄは３５０±１０（Ｖ）、青の蛍光体を塗布した放電セルに対する「データ電極−走査電極」間の放電開始電圧ＶＦｄｓは２００±１０（Ｖ）、同放電開始電圧ＶＦｓｄは３３０±１０（Ｖ）であった。また、「走査電極−維持電極」間の放電開始電圧ＶＦｓｓは、赤および青の蛍光体を塗布した放電セルに対しては２５０±１０（Ｖ）、緑の蛍光体を塗布した放電セルでは、２８０±１０（Ｖ）であった。
【００９４】
本実施の形態においては、維持パルスの低圧側の電圧は電圧０（Ｖ）、維持期間においてデータ電極に印加する電圧は電圧０（Ｖ）であるため、第１の電圧Ｖ１は電圧０（Ｖ）である。また、走査パルスの低圧側は電圧Ｖａ、データパルスの低圧側電圧は電圧０（Ｖ）であるため、第３の電圧Ｖ３は電圧Ｖａである。また、放電開始電圧ＶＦｄｓの最大値は、ばらつきを考慮すると電圧２３０（Ｖ）である。従って、（第１の電圧Ｖ１−第３の電圧Ｖ３）＝−Ｖａ＞（ＶＦｄｓの最大値）、すなわち２８０（Ｖ）＞２３０（Ｖ）となり、全ての放電セルで（条件１）を満足していることがわかる。
【００９５】
また維持パルスの高圧側は電圧Ｖｓであり、維持期間においてデータ電極に印加する電圧は電圧０（Ｖ）であるため、第２の電圧Ｖ２は電圧Ｖｓである。また、放電開始電圧ＶＦｓｄと放電開始電圧ＶＦｄｓとの和の最小値は電圧５００（Ｖ）である。従って、（第２の電圧Ｖ２−第３の電圧Ｖ３）＝Ｖｓ−Ｖａ＜（ＶＦｄｓ＋ＶＦｓｄ）の最小値、すなわち４８０（Ｖ）＜５００（Ｖ）となり、（条件２）についても全ての放電セルで満足していることがわかる。
【００９６】
また、上記の電圧から明らかなように、走査電極には、走査パルスの低圧側電圧Ｖａ以上、維持パルスの高圧側電圧Ｖｓ以下の電圧を印加し、走査パルスの低圧側電圧Ｖａより低い電圧または維持パルスの高圧側電圧Ｖｓを超える電圧を印加することはない。そのため書込み放電を行わなかった放電セルが発光することはない。
【００９７】
また、上記の電圧から明らかなように、（条件１）を満たすように電圧Ｖａを低く設定すると、走査パルスの低圧側電圧Ｖａの絶対値｜Ｖａ｜は、維持パルスの高圧側電圧Ｖｓの絶対値｜Ｖｓ｜よりも大きくなる。
【００９８】
このように本実施の形態においては、各電極に印加する駆動電圧波形、特に走査パルスの電圧Ｖａを、（条件１）および（条件２）を満たすように設定している。すなわち、消去期間は、直前の書込み期間で書込み放電を発生した放電セルのみで選択的に消去放電を発生し、かつ、維持期間において走査電極ＳＣｉに印加する維持パルスの低圧側電圧からデータ電極Ｄｊに印加する電圧を減じた電圧を第１の電圧Ｖ１とし、維持期間において走査電極ＳＣｉに印加する維持パルスの高圧側電圧からデータ電極Ｄｊに印加する電圧を減じた電圧を第２の電圧Ｖ２とし、書込み期間において走査電極ＳＣｉに印加する走査パルスの低圧側電圧からデータ電極Ｄｊに印加するデータパルスの低圧側電圧を減じた電圧を第３の電圧Ｖ３とするとき、第１の電圧Ｖ１から第３の電圧Ｖ３を減じた電圧が、データ電極Ｄｊを陽極とし走査電極ＳＣｉを陰極とする放電開始電圧ＶＦｄｓ以上であり、第２の電圧Ｖ２から第３の電圧Ｖ３を減じた電圧が、データ電極Ｄｊを陽極とし走査電極ＳＣｉを陰極とする放電開始電圧ＶＦｄｓとデータ電極Ｄｊを陰極とし走査電極ＳＣｉを陽極とする放電開始電圧ＶＦｓｄとの和を超えない。このように設定することにより、強制初期化動作を使用しなくても、書込み動作を安定に発生させることができる。その理由は以下のように考えられる。
【００９９】
まず、（条件１）について説明する。書込み放電を発生させるためには、データ電極Ｄｊと走査電極ＳＣｉとの間で放電を開始する必要がある。データ電極Ｄｊに比較的低い電圧Ｖｄａを印加して放電を開始するためには、走査電極ＳＣｉに走査パルスを印加したときに放電開始電圧ＶＦｄｓにほぼ等しい電圧がデータ電極Ｄｊと走査電極ＳＣｉとの間に印加されるように、データ電極Ｄｊ上に十分な正の壁電圧を蓄積しておかなければならない。上述したように本実施の形態においては強制初期化動作を行わず、黒を表示する放電セルでは放電を発生させない。そのため壁電圧を能動的に制御することができず、黒を表示する放電セルの壁電圧は不定となる。しかしながらこのような放電セルであっても放電空間内にわずかな荷電粒子が存在すれば、それらが放電空間内部の電界を緩和するように各々の電極に移動して放電セルの壁に付着して壁電圧を蓄積する。
【０１００】
まず、このようにして蓄積される壁電圧について説明する。維持期間では維持放電を発生する放電セルで多量の荷電粒子が発生するので、これらが拡散することにより、維持放電を起こさずに黒を表示する放電セル内部の空間にもわずかながら荷電粒子が供給されていると考えられる。そして黒を表示する放電セルでは、走査電極ＳＣｉ、維持電極ＳＵｉおよびデータ電極Ｄｊのそれぞれに印加される電圧により、電極間の電位差を緩和するようにゆっくりと壁電圧が蓄積されていく。このとき壁電圧が漸近する（最終的に落ち着く）電圧を放置壁電圧と定義すると、仮に走査電極ＳＣｉおよび維持電極ＳＵｉに交互に維持パルスを印加し続けた場合の放置壁電圧は維持パルスの高圧側電圧と低圧側電圧との間の電圧となる。実際には維持パルス以外の駆動電圧波形も印加されるので、各放電セルの放置壁電圧は概ね維持パルスの低圧側電圧に近いと考えてよい。
【０１０１】
また放置壁電圧は、放電セル内部に塗布されている蛍光体の帯電特性の影響を大きく受ける。本実施の形態においては、蛍光体の帯電特性はそれぞれ赤の蛍光体が＋２０（μＣ／ｇ）、緑の蛍光体が−３０（μＣ／ｇ）、青の蛍光体が＋１０（μＣ／ｇ）であり、緑の蛍光体のみ負電位に帯電する特性を持つため、赤および青の蛍光体に比べて放置壁電圧は低くなる。
【０１０２】
次に、書込み期間における放電セル内部の電圧について説明する。黒を表示する放電セルのデータ電極Ｄｈ上には概ね維持パルスの低圧側電圧またはそれよりも高い放置壁電圧に向かって徐々に壁電圧が蓄積される。一方、本実施の形態における走査パルスの電圧Ｖａは、（条件１）を満たす電圧である。そのため、データ電極Ｄｈ上には書込み放電を発生させるに十分な正の壁電圧が蓄積され、強制初期化動作を全く行わなくても書込み放電を発生させることができる。
【０１０３】
また黒を表示する放電セルの壁電圧はゆっくりと放置壁電圧に漸近し、消去期間において「データ電極−走査電極」間の電圧に壁電圧を加算した電圧が放電開始電圧に近づくと暗電流が流れ、データ電極Ｄｈ上の壁電圧を低下させる。そしてこのとき流れる暗電流が書込み放電を助けるプライミングの役割を果たすため、黒を表示していた放電セルであっても、大きな放電遅れを生じることなく安定した書込み放電を発生させることができると考えることができる。
【０１０４】
このように、（条件１）を満たすように各電極に印加する駆動電圧、特に（条件１）を満たすように走査パルスの電圧Ｖａを低く設定することにより、強制初期化動作を行うことなく、書込みに必要な壁電圧を蓄積することができ、かつ書込み放電を安定させるプライミングも発生させることができる。
【０１０５】
次に、（条件２）について説明する。走査パルスの電圧Ｖａを低くしすぎると、維持期間において走査電極に維持パルスの電圧Ｖｓを印加した時点で書込み動作の有無に関係なく放電が発生して画像を表示できなくなる。この誤放電を抑制するためには、維持パルスの電圧Ｖｓを印加した時点で「データ電極−走査電極」間の電圧が放電開始電圧ＶＦｓｄ以下となるように設定しなければならない。この条件が（条件２）である。
【０１０６】
このように本実施の形態においては、全ての放電セルで（条件１）および（条件２）を満たすように駆動電圧波形が設定されている。そのため書込み動作を安定に発生させつつ強制初期化動作を省略して、階調表示に関係しない発光をなくした画像表示が可能となる。
【０１０７】
また本実施の形態においては、消去期間において、維持電極ＳＵｉを陰極とし走査電極ＳＣｉを陽極とする１回目の放電を発生させ、その後、走査電極ＳＣｉを陰極としデータ電極Ｄｋを陽極とする１回目の放電を発生させ、その後、維持電極ＳＵｉを陰極とし走査電極ＳＣｉを陽極とする２回目の放電を発生させ、その後、走査電極ＳＣｉを陰極としデータ電極Ｄｋを陽極とする２回目の放電を発生させている。さらにこれらの放電を弱い放電とし、それにともなう発光を抑えるために、維持電極ＳＵｉに第４の電圧０（Ｖ）を印加するとともに走査電極ＳＣｉに傾斜が１０（Ｖ／μｓ）である上り傾斜波形電圧を印加し、その後、走査電極ＳＣｉに傾斜が−１．５（Ｖ／μｓ）である下り傾斜波形電圧を印加し、その後、走査電極ＳＣｉに立上り時間が１（μｓ）以下の正の矩形状電圧を印加し、その後、維持電極ＳＵｉに第４の電圧０（Ｖ）よりも高い第５の電圧Ｖｅを印加するとともに走査電極ＳＣｉに傾斜が−１．５（Ｖ／μｓ）である下り傾斜波形電圧を印加している。
【０１０８】
このように強い放電を発生させなくても、微弱な放電を複数回繰り返し発生させることにより、各電極上に十分な壁電圧を蓄積することができ、続く書込み放電を安定して発生させることができる。
【０１０９】
次に、放電開始電圧ＶＦｓｄと放電開始電圧ＶＦｄｓ、および壁電圧は、例えばＩＥＥＥ  ＴＲＡＮＳＡＣＴＩＯＮＳ  ＯＮ  ＥＬＥＣＴＲＯＮ  ＤＥＶＩＣＥＳ，ＶＯＬ．ＥＤ−２４，ＮＯ．７，ＪＵＬＹ，１９７７“Ｍｅａｓｕｒｅｍｅｎｔ  ｏｆ  ａ  Ｐｌａｓｍａ  ｉｎ  ｔｈｅ  ＡＣ  Ｐｌａｓｍａ  Ｄｉｓｐｌａｙ  ｐａｎｅｌ  Ｕｓｉｎｇ  ＲＦ  Ｃａｐａｃｉｔａｎｃｅ  ａｎｄ  Ｍｉｃｒｏｗａｖｅ  Ｔｅｃｈｎｉｑｕｅｓ”に記載されている方法により測定できる。あるいは、以下のようにして簡易的に測定してもよい。放電開始電圧を簡易的に測定する方法の一例を図１０を用いて説明する。
【０１１０】
まず壁電荷を消去する動作を行う。具体的には図１０の壁電荷消去期間に示したように、予想される放電開始電圧よりも十分高いパルス状の電圧Ｖｅｒｓを、測定したい電極間、例えばデータ電極と走査電極とに交互に印加する。次に、放電開始を観測する。具体的には図１０の測定期間に示したように、予想される放電開始電圧よりも低いパルス状の電圧Ｖｍｓｒを一方の電極、例えばデータ電極に印加し、そのときの放電にともなう発光をフォトマル等の光検出センサを用いて検出する。放電が観測されない場合には、壁電荷消去期間で壁電荷を消去する動作を行った後、測定期間で電圧の絶対値を少しあげたパルス状の電圧Ｖｍｓｒを印加して発光を観測する。
【０１１１】
この動作を繰り返し、測定期間において発光が観測される絶対値が最小の電圧Ｖｍｓｒが放電開始電圧である。このとき測定期間で印加する電圧Ｖｍｓｒを正の電圧とすると、データ電極を陽極とし走査電極を陰極とする放電開始電圧ＶＦｄｓを測定することができる。また、測定期間で印加する電圧Ｖｍｓｒを負の電圧とすると、データ電極を陰極とし走査電極を陽極とする放電開始電圧ＶＦｓｄを測定することができる。
【０１１２】
放電開始電圧がわかれば、壁電圧が蓄積している放電セルに対して、放電が開始する電圧を測定し、その電圧値とあらかじめ測定した放電開始電圧との差として壁電圧を知ることができる。
【０１１３】
以上のように本実施の形態のパネルの駆動方法では、上述の条件を満たす走査パルスを走査電極に印加することで、強制初期化動作を使用しなくても、安定した書込み動作を行うことができるとともに、コントラストを向上させたパネルの駆動方法およびプラズマディスプレイ装置を提供することできる。
【０１１４】
なお、本実施の形態において示した具体的な数値等は単に一例を示したに過ぎず、パネルの特性やプラズマディスプレイ装置の仕様等にあわせて最適に設定することが望ましい。
【０１１５】
なお、（実施の形態１）、（実施の形態２）において示した具体的な数値等は単に一例を示したに過ぎず、パネルの特性やプラズマディスプレイ装置の仕様等にあわせて最適に設定することが望ましい。
【産業上の利用可能性】
【０１１６】
本発明は、十分な電圧設定マージンを確保しつつ安定した書込み放電を発生させて、表示品質の高い画像を表示することができる。また本発明は、書込み動作を安定に発生させつつ強制初期化動作を省略して、階調表示に関係しない発光をなくし、コントラストを大幅に向上することができる。このため、パネルの駆動方法およびプラズマディスプレイ装置として有用である。
【符号の説明】
【０１１７】
１０    パネル
２２    走査電極
２３    維持電極
２４    表示電極対
３２    データ電極
３５    蛍光体層
４０    プラズマディスプレイ装置
４１    画像信号処理回路
４２    データ電極駆動回路
４３    走査電極駆動回路
４４    維持電極駆動回路
４５    タイミング発生回路
５０，８０    維持パルス発生回路
５１，８１    電力回収回路
６０    傾斜波形電圧発生回路
６１，６２，６３    ミラー積分回路
７０    走査パルス発生回路
８５    一定電圧発生回路
【図１】
2010143404.tif 000003
【図２】
2010143404.tif 000004
【図３】
2010143404.tif 000005
【図４Ａ】
2010143404.tif 000006
【図４Ｂ】
2010143404.tif 000007
【図５】
2010143404.tif 000008
【図６】
2010143404.tif 000009
【図７】
2010143404.tif 000010
【図８】
2010143404.tif 000011
【図９】
2010143404.tif 000012
【図１０】
2010143404.tif 000013
【手続補正書】
【提出日】平成23年10月19日(2011.10.19)
【手続補正１】
【補正対象書類名】明細書
【補正対象項目名】０００８
【補正方法】変更
【補正の内容】
【０００８】
特許文献１：特開２０００−２４２２２４号公報
特許文献２：特開２００８−２５６７７４号公報
特許文献３：国際公開第２００８／０５９７４５号
【手続補正２】
【補正対象書類名】明細書
【補正対象項目名】００１０
【補正方法】変更
【補正の内容】
【００１０】
本発明のパネルの駆動方法は、初期化期間と書込み期間と維持期間とを有するサブフィールドを複数用いて１つのフィールドを構成し、走査電極と維持電極とデータ電極とを有する放電セルを複数備えたパネルを駆動するパネルの駆動方法であって、複数のサブフィールドのうちの少なくとも１つのサブフィールドの初期化期間において、直前の書込み期間で書込み放電を発生した放電セルのみで選択的に初期化放電を発生させる選択初期化動作を行い、選択初期化動作は、維持電極に第１の電圧を印加するとともに走査電極に上り傾斜波形電圧を印加するステップと、走査電極に第１の下り傾斜波形電圧を印加した後に正の矩形状電圧を印加するステップと、維持電極に第１の電圧よりも高い第２の電圧を印加するとともに走査電極に第２の下り傾斜波形電圧を印加するステップとを行うことを特徴とする。この方法により、十分な電圧設定マージンを確保しつつ安定した書込み放電を発生させて、表示品質の高い画像を表示することが可能なパネルの駆動方法を提供することができる。
【手続補正３】
【補正対象書類名】明細書
【補正対象項目名】００１１
【補正方法】変更
【補正の内容】
【００１１】
また本発明のプラズマディスプレイ装置は、走査電極と維持電極とデータ電極とを有する放電セルを複数備えたパネルと、初期化期間と書込み期間と維持期間とを有するサブフィールドを複数用いて１つのフィールドを構成するとともに駆動電圧を発生してパネルの各電極に印加する駆動回路とを備えたプラズマディスプレイ装置であって、駆動回路は、複数のサブフィールドのうちの少なくとも１つのサブフィールドの初期化期間において、維持電極に第１の電圧を印加するとともに走査電極に上り傾斜波形電圧を印加し、その後、走査電極に第１の下り傾斜波形電圧を印加し、その後、走査電極に正の矩形状電圧を印加し、その後、維持電極に第１の電圧よりも高い第２の電圧を印加するとともに走査電極に第２の下り傾斜波形電圧を印加してパネルを駆動することを特徴とする。この構成により、十分な電圧設定マージンを確保しつつ安定した書込み放電を発生させて、表示品質の高い画像を表示することが可能なプラズマディスプレイ装置を提供することができる。
【手続補正４】
【補正対象書類名】明細書
【補正対象項目名】００１２
【補正方法】変更
【補正の内容】
【００１２】
また本発明のパネルの駆動方法は、書込み期間と維持期間と消去期間とを有するサブフィールドを複数用いて１つのフィールドを構成し、走査電極と維持電極とデータ電極とを有する放電セルを複数備えたパネルを駆動するパネルの駆動方法であって、維持期間において走査電極に印加する維持パルスの低圧側電圧からデータ電極に印加する電圧を減じた電圧を第１の電圧とし、維持期間において走査電極に印加する維持パルスの高圧側電圧からデータ電極に印加する電圧を減じた電圧を第２の電圧とし、書込み期間において走査電極に印加する走査パルスの低圧側電圧からデータ電極に印加する書込みパルスの低圧側電圧を減じた電圧を第３の電圧とするとき、第１の電圧から第３の電圧を減じた電圧が、データ電極を陽極とし走査電極を陰極とする放電開始電圧以上であり、第２の電圧から第３の電圧を減じた電圧が、データ電極を陽極とし走査電極を陰極とする放電開始電圧とデータ電極を陰極とし走査電極を陽極とする放電開始電圧との和未満であり、かつ、消去期間は、直前の書込み期間で書込み放電を発生した放電セルのみで選択的に消去放電を発生し、消去放電は、維持電極を陰極とし走査電極を陽極とする１回目の放電を発生するステップと、走査電極を陰極としデータ電極を陽極とする１回目の放電を発生するステップと、維持電極を陰極とし走査電極を陽極とする２回目の放電を発生するステップと、走査電極を陰極としデータ電極を陽極とする２回目の放電を発生するステップとを行うことを特徴とする。この方法により、書込み動作を安定に発生させつつ強制初期化動作を省略して、階調表示に関係しない発光をなくし、コントラストを大幅に向上したパネルの駆動方法を提供することができる。
【手続補正５】
【補正対象書類名】明細書
【補正対象項目名】００１４
【補正方法】変更
【補正の内容】
【００１４】
また本発明のプラズマディスプレイ装置は、走査電極と維持電極とデータ電極とを有する放電セルを複数備えたパネルと、書込み期間と維持期間と消去期間とを有するサブフィールドを複数用いて１つのフィールドを構成するとともに駆動電圧波形を発生してパネルの各電極に印加する駆動回路とを備えたプラズマディスプレイ装置であって、駆動回路は、維持期間において走査電極に印加する維持パルスの低圧側電圧からデータ電極に印加する電圧を減じた電圧を第１の電圧とし、維持期間において走査電極に印加する維持パルスの高圧側電圧からデータ電極に印加する電圧を減じた電圧を第２の電圧とし、書込み期間において走査電極に印加する走査パルスの低圧側電圧からデータ電極に印加する書込みパルスの低圧側電圧を減じた電圧を第３の電圧とするとき、第１の電圧から第３の電圧を減じた電圧が、データ電極を陽極とし走査電極を陰極とする放電開始電圧以上であり、第２の電圧から第３の電圧を減じた電圧が、データ電極を陽極とし走査電極を陰極とする放電開始電圧とデータ電極を陰極とし走査電極を陽極とする放電開始電圧との和を超えない電圧に設定するとともに、消去期間において、維持電極を陰極とし走査電極を陽極とする１回目の放電を発生させ、その後、走査電極を陰極としデータ電極を陽極とする１回目の放電を発生させ、その後、維持電極を陰極とし走査電極を陽極とする２回目の放電を発生させ、その後、走査電極を陰極としデータ電極を陽極とする２回目の放電を発生させて、直前の書込み期間で書込み放電を発生した放電セルのみで選択的に消去放電を発生させてパネルを駆動することを特徴とする。この構成により、書込み動作を安定に発生させつつ強制初期化動作を省略して、階調表示に関係しない発光をなくし、コントラストを大幅に向上したプラズマディスプレイ装置を提供することができる。
【手続補正６】
【補正対象書類名】明細書
【補正対象項目名】００３６
【補正方法】変更
【補正の内容】
【００３６】
次に、維持電極ＳＵ１〜ＳＵｎに電圧０（Ｖ）を印加したまま、走査電極ＳＣ１〜ＳＣｎには電圧０（Ｖ）から電圧Ｖｉ４に向かって緩やかに下降する下り傾斜波形電圧を印加する。この下り傾斜波形電圧が第１の下り傾斜波形電圧である。すると微弱な消去放電を発生した放電セルで再び微弱な放電が発生する。このときの微弱放電は走査電極を陰極としデータ電極を陽極とする１回目の放電である。なお電圧Ｖｉ４は、走査パルスの電圧Ｖａと等しいか電圧Ｖａよりわずかに高い電圧に設定されている。
【手続補正７】
【補正対象書類名】明細書
【補正対象項目名】００３８
【補正方法】変更
【補正の内容】
【００３８】
さらにその後、維持電極ＳＵ１〜ＳＵｎに第１の電圧よりも高い第２の電圧である電圧Ｖｅを印加し、走査電極ＳＣ１〜ＳＣｎには電圧０（Ｖ）から電圧Ｖｉ４に向かって緩やかに下降する下り傾斜波形電圧を印加する。この下り傾斜波形電圧が第２の下り傾斜波形電圧である。すると放電を発生した放電セルで４回目の微弱な放電が発生する。このときの放電は走査電極を陰極としデータ電極を陽極とする２回目の放電である。さらに走査電極を陰極とし維持電極を陽極とする放電も発生する。そしてこの微弱放電により走査電極ＳＣｉ上、維持電極ＳＵｉ上の壁電圧、およびデータ電極Ｄｋ上の壁電圧の過剰な部分が放電され、書込み動作に適した壁電圧に調整される。このようにして初期化動作が完了する。
【手続補正８】
【補正対象書類名】明細書
【補正対象項目名】００４２
【補正方法】変更
【補正の内容】
【００４２】
このように本実施の形態においては、初期化期間において、維持電極ＳＵｉを陰極とし走査電極ＳＣｉを陽極とする１回目の放電を発生させ、その後、走査電極ＳＣｉを陰極としデータ電極Ｄｋを陽極とする１回目の放電を発生させ、その後、維持電極ＳＵｉを陰極とし走査電極ＳＣｉを陽極とする２回目の放電を発生させ、その後、走査電極ＳＣｉを陰極としデータ電極Ｄｋを陽極とする２回目の放電を発生させている。さらにこれらの放電を弱い放電とし、それにともなう発光を抑えるために、維持電極ＳＵ１〜ＳＵｎに第１の電圧である電圧０（Ｖ）を印加するとともに走査電極ＳＣ１〜ＳＣｎに傾斜が１０（Ｖ／μｓ）である上り傾斜波形電圧を印加し、その後、走査電極ＳＣ１〜ＳＣｎに傾斜が−１．５（Ｖ／μｓ）である第１の下り傾斜波形電圧を印加し、その後、走査電極ＳＣ１〜ＳＣｎに立上り時間が１（μｓ）以下の正の矩形状電圧を印加し、その後、維持電極ＳＵ１〜ＳＵｎに第１の電圧よりも高い第２の電圧である電圧Ｖｅを印加するとともに走査電極ＳＣ１〜ＳＣｎに傾斜が−１．５（Ｖ／μｓ）である第２の下り傾斜波形電圧を印加している。
【手続補正９】
【補正対象書類名】明細書
【補正対象項目名】００７９
【補正方法】変更
【補正の内容】
【００７９】
ここで、以下の説明のために、第１の電圧Ｖ１、第２の電圧Ｖ２、第３の電圧Ｖ３を、図９に示すように定義する。後述する維持期間において走査電極ＳＣｉに印加する維持パルスの低圧側電圧からデータ電極Ｄｊに印加する電圧を減じた電圧を第１の電圧Ｖ１とし、維持期間において走査電極ＳＣｉに印加する維持パルスの高圧側電圧からデータ電極Ｄｊに印加する電圧を減じた電圧を第２の電圧Ｖ２とし、書込み期間において走査電極ＳＣｉに印加する走査パルスの低圧側電圧からデータ電極Ｄｊに印加する書込みパルスの低圧側電圧を減じた電圧を第３の電圧Ｖ３とする。
【手続補正１０】
【補正対象書類名】明細書
【補正対象項目名】００９４
【補正方法】変更
【補正の内容】
【００９４】
本実施の形態においては、維持パルスの低圧側の電圧は電圧０（Ｖ）、維持期間においてデータ電極に印加する電圧は電圧０（Ｖ）であるため、第１の電圧Ｖ１は電圧０（Ｖ）である。また、走査パルスの低圧側は電圧Ｖａ、書込みパルスの低圧側電圧は電圧０（Ｖ）であるため、第３の電圧Ｖ３は電圧Ｖａである。また、放電開始電圧ＶＦｄｓの最大値は、ばらつきを考慮すると電圧２３０（Ｖ）である。従って、（第１の電圧Ｖ１−第３の電圧Ｖ３）＝−Ｖａ＞（ＶＦｄｓの最大値）、すなわち２８０（Ｖ）＞２３０（Ｖ）となり、全ての放電セルで（条件１）を満足していることがわかる。
【手続補正１１】
【補正対象書類名】明細書
【補正対象項目名】００９８
【補正方法】変更
【補正の内容】
【００９８】
このように本実施の形態においては、各電極に印加する駆動電圧波形、特に走査パルスの電圧Ｖａを、（条件１）および（条件２）を満たすように設定している。すなわち、消去期間は、直前の書込み期間で書込み放電を発生した放電セルのみで選択的に消去放電を発生し、かつ、維持期間において走査電極ＳＣｉに印加する維持パルスの低圧側電圧からデータ電極Ｄｊに印加する電圧を減じた電圧を第１の電圧Ｖ１とし、維持期間において走査電極ＳＣｉに印加する維持パルスの高圧側電圧からデータ電極Ｄｊに印加する電圧を減じた電圧を第２の電圧Ｖ２とし、書込み期間において走査電極ＳＣｉに印加する走査パルスの低圧側電圧からデータ電極Ｄｊに印加する書込みパルスの低圧側電圧を減じた電圧を第３の電圧Ｖ３とするとき、第１の電圧Ｖ１から第３の電圧Ｖ３を減じた電圧が、データ電極Ｄｊを陽極とし走査電極ＳＣｉを陰極とする放電開始電圧ＶＦｄｓ以上であり、第２の電圧Ｖ２から第３の電圧Ｖ３を減じた電圧が、データ電極Ｄｊを陽極とし走査電極ＳＣｉを陰極とする放電開始電圧ＶＦｄｓとデータ電極Ｄｊを陰極とし走査電極ＳＣｉを陽極とする放電開始電圧ＶＦｓｄとの和を超えない。このように設定することにより、強制初期化動作を使用しなくても、書込み動作を安定に発生させることができる。その理由は以下のように考えられる。
【手続補正１２】
【補正対象書類名】特許請求の範囲
【補正対象項目名】請求項１
【補正方法】変更
【補正の内容】
【請求項１】
初期化期間と書込み期間と維持期間とを有するサブフィールドを複数用いて１つのフィールドを構成し、走査電極と維持電極とデータ電極とを有する放電セルを複数備えたプラズマディスプレイパネルを駆動するプラズマディスプレイパネルの駆動方法であって、
前記複数のサブフィールドのうちの少なくとも１つのサブフィールドの初期化期間において、直前の書込み期間で書込み放電を発生した放電セルのみで選択的に初期化放電を発生させる選択初期化動作を行い、
前記選択初期化動作は、前記維持電極に第１の電圧を印加するとともに前記走査電極に上り傾斜波形電圧を印加するステップと、前記走査電極に第１の下り傾斜波形電圧を印加した後に正の矩形状電圧を印加するステップと、前記維持電極に前記第１の電圧よりも高い第２の電圧を印加するとともに前記走査電極に第２の下り傾斜波形電圧を印加するステップとを行うことを特徴とするプラズマディスプレイパネルの駆動方法。
【手続補正１３】
【補正対象書類名】特許請求の範囲
【補正対象項目名】請求項２
【補正方法】変更
【補正の内容】
【請求項２】
走査電極と維持電極とデータ電極とを有する放電セルを複数備えたプラズマディスプレイパネルと、初期化期間と書込み期間と維持期間とを有するサブフィールドを複数用いて１つのフィールドを構成するとともに駆動電圧を発生して前記プラズマディスプレイパネルの各電極に印加する駆動回路とを備えたプラズマディスプレイ装置であって、
前記駆動回路は、
前記複数のサブフィールドのうちの少なくとも１つのサブフィールドの初期化期間において、前記維持電極に第１の電圧を印加するとともに前記走査電極に上り傾斜波形電圧を印加し、その後、前記走査電極に第１の下り傾斜波形電圧を印加し、その後、前記走査電極に正の矩形状電圧を印加し、その後、前記維持電極に前記第１の電圧よりも高い第２の電圧を印加するとともに前記走査電極に第２の下り傾斜波形電圧を印加して前記プラズマディスプレイパネルを駆動することを特徴とするプラズマディスプレイ装置。
【手続補正１４】
【補正対象書類名】特許請求の範囲
【補正対象項目名】請求項３
【補正方法】変更
【補正の内容】
【請求項３】
書込み期間と維持期間と消去期間とを有するサブフィールドを複数用いて１つのフィールドを構成し、走査電極と維持電極とデータ電極とを有する放電セルを複数備えたプラズマディスプレイパネルを駆動するプラズマディスプレイパネルの駆動方法であって、
前記維持期間において前記走査電極に印加する維持パルスの低圧側電圧から前記データ電極に印加する電圧を減じた電圧を第１の電圧とし、前記維持期間において前記走査電極に印加する前記維持パルスの高圧側電圧から前記データ電極に印加する電圧を減じた電圧を第２の電圧とし、前記書込み期間において前記走査電極に印加する走査パルスの低圧側電圧から前記データ電極に印加する書込みパルスの低圧側電圧を減じた電圧を第３の電圧とするとき、
前記第１の電圧から前記第３の電圧を減じた電圧が、前記データ電極を陽極とし前記走査電極を陰極とする放電開始電圧以上であり、
前記第２の電圧から前記第３の電圧を減じた電圧が、前記データ電極を陽極とし前記走査電極を陰極とする放電開始電圧と前記データ電極を陰極とし前記走査電極を陽極とする放電開始電圧との和未満であり、
かつ、前記消去期間は、直前の書込み期間で書込み放電を発生した放電セルのみで選択的に消去放電を発生し、
前記消去放電は、前記維持電極を陰極とし前記走査電極を陽極とする１回目の放電を発生するステップと、前記走査電極を陰極とし前記データ電極を陽極とする１回目の放電を発生するステップと、前記維持電極を陰極とし前記走査電極を陽極とする２回目の放電を発生するステップと、前記走査電極を陰極とし前記データ電極を陽極とする２回目の放電を発生するステップとを行うことを特徴とするプラズマディスプレイパネルの駆動方法。
【手続補正１５】
【補正対象書類名】特許請求の範囲
【補正対象項目名】請求項５
【補正方法】変更
【補正の内容】
【請求項５】
走査電極と維持電極とデータ電極とを有する放電セルを複数備えたプラズマディスプレイパネルと、書込み期間と維持期間と消去期間とを有するサブフィールドを複数用いて１つのフィールドを構成するとともに駆動電圧波形を発生して前記プラズマディスプレイパネルの各電極に印加する駆動回路とを備えたプラズマディスプレイ装置であって、
前記駆動回路は、
前記維持期間において前記走査電極に印加する維持パルスの低圧側電圧から前記データ電極に印加する電圧を減じた電圧を第１の電圧とし、前記維持期間において前記走査電極に印加する前記維持パルスの高圧側電圧から前記データ電極に印加する電圧を減じた電圧を第２の電圧とし、前記書込み期間において前記走査電極に印加する走査パルスの低圧側電圧から前記データ電極に印加する書込みパルスの低圧側電圧を減じた電圧を第３の電圧とするとき、
前記第１の電圧から前記第３の電圧を減じた電圧が、前記データ電極を陽極とし前記走査電極を陰極とする放電開始電圧以上であり、
前記第２の電圧から前記第３の電圧を減じた電圧が、前記データ電極を陽極とし前記走査電極を陰極とする放電開始電圧と前記データ電極を陰極とし前記走査電極を陽極とする放電開始電圧との和を超えない電圧に設定するとともに、
前記消去期間において、前記維持電極を陰極とし前記走査電極を陽極とする１回目の放電を発生させ、その後、前記走査電極を陰極とし前記データ電極を陽極とする１回目の放電を発生させ、その後、前記維持電極を陰極とし前記走査電極を陽極とする２回目の放電を発生させ、その後、前記走査電極を陰極とし前記データ電極を陽極とする２回目の放電を発生させて、直前の書込み期間で書込み放電を発生した放電セルのみで選択的に消去放電を発生させて前記プラズマディスプレイパネルを駆動することを特徴とするプラズマディスプレイ装置。
【手続補正書】
【提出日】平成24年4月5日(2012.4.5)
【手続補正１】
【補正対象書類名】特許請求の範囲
【補正対象項目名】全文
【補正方法】変更
【補正の内容】
【特許請求の範囲】
【請求項１】
初期化期間と書込み期間と維持期間とを有するサブフィールドを複数用いて１つのフィールドを構成し、走査電極と維持電極とデータ電極とを有する放電セルを複数備えたプラズマディスプレイパネルを駆動するプラズマディスプレイパネルの駆動方法であって、
前記複数のサブフィールドのうちの少なくとも１つのサブフィールドの初期化期間において、直前の書込み期間で書込み放電を発生した放電セルのみで選択的に初期化放電を発生させる選択初期化動作を行い、
前記選択初期化動作は、前記維持電極に第１の電圧を印加するとともに前記走査電極に上り傾斜波形電圧を印加するステップと、前記走査電極に第１の下り傾斜波形電圧を印加した後に正の矩形状電圧を印加するステップと、前記維持電極に前記第１の電圧よりも高い第２の電圧を印加するとともに前記走査電極に第２の下り傾斜波形電圧を印加するステップとを行うことを特徴とするプラズマディスプレイパネルの駆動方法。
【請求項２】
走査電極と維持電極とデータ電極とを有する放電セルを複数備えたプラズマディスプレイパネルと、初期化期間と書込み期間と維持期間とを有するサブフィールドを複数用いて１つのフィールドを構成するとともに駆動電圧を発生して前記プラズマディスプレイパネルの各電極に印加する駆動回路とを備えたプラズマディスプレイ装置であって、
前記駆動回路は、
前記複数のサブフィールドのうちの少なくとも１つのサブフィールドの初期化期間において、前記維持電極に第１の電圧を印加するとともに前記走査電極に上り傾斜波形電圧を印加し、その後、前記走査電極に第１の下り傾斜波形電圧を印加し、その後、前記走査電極に正の矩形状電圧を印加し、その後、前記維持電極に前記第１の電圧よりも高い第２の電圧を印加するとともに前記走査電極に第２の下り傾斜波形電圧を印加して前記プラズマディスプレイパネルを駆動することを特徴とするプラズマディスプレイ装置。
【国際調査報告】
2010143404.tif 000014
2010143404.tif 000015
2010143404.tif 000016
2010143404.tif 000017
2010143404.tif 000018
2010143404.tif 000019
2010143404.tif 000020
2010143404.tif 000021